(57)【要約】【課題】セルフタイマ動作時における無駄な電力消費を抑える。【解決手段】モードダイヤル１２３によりセルフ撮影モードが設定された場合、バックライト７０の輝度を低減させる。セルフタイマ動作時、通常ユーザは液晶パネルの表示面を見ないと考えられるから、このときに輝度を低減させることで無駄な電力消費を抑えることができる。ただし、手振れ防止目的のセルフタイマ動作もあるから、受光量が所定の閾値を下回る場合は輝度低減を停止させる。一方、ＣＣＤ１３２の受光量が所定の閾値を超えている場合、デューティ比を増加させることでセルフタイマランプ１０５ｃの輝度を増加させる。明るい使用環境で被写体をセルフ撮影しようとしていると考えられる状態で、セルフタイマランプ１０５ｃの輝度を増加させることで、被写体側からセルフタイマランプ１０５ｃの点灯を良好に視認することができる。【選択図】  図７
2007104108.tif 000002
【特許請求の範囲】
【請求項１】
液晶パネル、前記液晶パネルに照明光を発光するバックライト、前記バックライトの発光輝度を制御するバックライト制御部、撮影レンズを介して入射した被写体光を受光して撮像信号に変換して出力する撮像素子、セルフ撮影モードを設定するセルフ撮影設定部、撮像開始の入力操作を受け付ける撮像指示部、前記セルフ撮影設定部により前記セルフ撮影モードが設定された状態において、前記撮像指示部が前記撮像開始の入力操作を受け付けたことに応じ、所定の期間の経過を計時するセルフタイマ回路、前記セルフタイマ回路による所定の期間の経過の計時の完了に応じて前記撮像素子の露光を制御するシャッタ制御部、を備える撮像装置であって、
前記バックライト制御部は、少なくとも前記セルフタイマ回路による前記所定の期間の経過の計時開始から完了までの間、前記バックライトの発光輝度を低減させるよう制御する撮像装置。
【請求項２】
前記撮像素子から出力された撮像信号を画像データに変換して出力するＡ／Ｄ変換部、
前記Ａ／Ｄ変換部の出力した画像データに基づいて受光量を検出する受光量検出部、
被写体に向けて発光する発光部、
前記受光量検出部の検出した受光量に応じて前記発光部の発光輝度を増加又は低減させるよう制御する発光制御部、
をさらに備える請求項１に記載の撮像装置。
【請求項３】
前記発光制御部は前記セルフタイマ回路による前記所定の期間の経過の計時の際に前記受光量検出部の検出した受光量が所定の閾値を超えたことに応じて前記発光部の発光輝度を増加させる請求項２に記載の撮像装置。
【請求項４】
前記バックライト制御部は前記セルフタイマ回路による前記所定の期間の経過の計時の際に前記受光量検出部の検出した受光量が所定の閾値を超えたことに応じて前記バックライトの発光輝度を低減させるよう制御する請求項３に記載の撮像装置。
【請求項５】
前記Ａ／Ｄ変換部の出力した画像データを記録する画像記録部をさらに備え、
前記バックライト制御部は前記画像記録部が前記画像データの記録を終了したことに応じて前記バックライトの発光輝度を増加させるよう制御する請求項４に記載の撮像装置。
【請求項６】
前記発光制御部は前記セルフタイマ回路による前記所定の期間の経過の計時の際に前記受光量検出部の検出した受光量が所定の閾値を下回ったことに応じて前記発光部の発光輝度を低減させるよう制御する請求項２に記載の撮像装置。
【請求項７】
夜間撮影モードを設定する夜間撮影設定部をさらに備え、
前記シャッタ制御部は前記夜間撮影設定部による前記夜間撮影モードの設定に応じて前記撮像素子の露光時間を制御し、
前記発光制御部は前記夜間撮影設定部が前記夜間撮影モードを設定したことに応じて前記発光部の発光輝度を減少させるよう制御する請求項２〜６のいずれかに記載の撮像装置。
【請求項８】
前記発光制御部は前記セルフタイマ回路による前記所定の期間の経過の計時に連動して前記発光部を発光させる請求項２〜７のいずれかに記載の撮像装置。
【請求項９】
前記発光制御部は前記セルフタイマ回路による前記所定の期間の経過の計時の際に前記受光量検出部の検出した受光量が所定の閾値を下回ったことに応じて前記発光部の発光輝度を低減させる制御を停止する請求項１〜８のいずれかに記載の撮像装置。
【請求項１０】
液晶パネル、前記液晶パネルに照明光を発光するバックライト、前記バックライトの発光輝度を制御するバックライト制御部、撮影レンズを介して入射した被写体光を受光して撮像信号に変換して出力する撮像素子、セルフ撮影モードを設定するセルフ撮影設定部、撮像開始の入力操作を受け付ける撮像指示部、前記セルフ撮影設定部により前記セルフ撮影モードが設定された状態において、前記撮像指示部が前記撮像開始の入力操作を受け付けたことに応じ、所定の期間の経過を計時するセルフタイマ回路、前記セルフタイマ回路による所定の期間の経過の計時の完了に応じて前記撮像素子の露光を制御するシャッタ制御部、を備える撮像装置に用いられる発光輝度制御方法であって、
少なくとも前記セルフタイマ回路による前記所定の期間の経過の計時開始から完了までの間、前記バックライトの発光輝度を低減させるよう制御するステップを含む発光輝度制御方法。
【請求項１１】
液晶パネル、前記液晶パネルに照明光を発光するバックライト、前記バックライトの発光輝度を制御するバックライト制御部、撮影レンズを介して入射した被写体光を受光して撮像信号に変換して出力する撮像素子、セルフ撮影モードを設定するセルフ撮影設定部、撮像開始の入力操作を受け付ける撮像指示部、前記セルフ撮影設定部により前記セルフ撮影モードが設定された状態において、前記撮像指示部が前記撮像開始の入力操作を受け付けたことに応じ、所定の期間の経過を計時するセルフタイマ回路、前記セルフタイマ回路による所定の期間の経過の計時の完了に応じて前記撮像素子の露光を制御するシャッタ制御部、演算装置を備える撮像装置に用いられる発光輝度制御プログラムであって、
少なくとも前記セルフタイマ回路による前記所定の期間の経過の計時開始から完了までの間、前記バックライトの発光輝度を低減させるよう制御するステップを前記演算装置に実行させる発光輝度制御プログラム。
【発明の詳細な説明】
【技術分野】
【０００１】
本発明は撮像装置のバックライトの発光輝度を制御する技術に関する。
【背景技術】
【０００２】
従来、撮像装置の使用環境の明るさに応じて発光体の輝度を変化させる技術が存在する。例えば特許文献１によると、ファインダーからの逆入光を防止する手段の状態を検出し、逆入光を防止する手段が使用されている状態は、カメラのファインダー側に強い光があり被写体側からセルフタイマ中の表示の確認がしにくい環境下でもあると判断し、逆入光を防止する手段が使用されている状態でのセルフタイマ中の表示用発光部材の輝度を、通常のセルフタイマ時よりあげて駆動する。
【特許文献１】特開２００３−２４１２９４号公報
【発明の開示】
【発明が解決しようとする課題】
【０００３】
ところで、セルフタイマ動作開始後は、ユーザは撮像装置から離れることが通常であるため、高い輝度でバックライトを照らしても電力の無駄である。本発明はこのような問題点に鑑みてなされたもので、セルフタイマ動作時における無駄な電力消費を抑える技術を提供することを目的とする。
【課題を解決するための手段】
【０００４】
上述の課題を解決するため、本発明に係る撮像装置は、液晶パネル、液晶パネルに照明光を発光するバックライト、バックライトの発光輝度を制御するバックライト制御部、撮影レンズを介して入射した被写体光を受光して撮像信号に変換して出力する撮像素子、セルフ撮影モードを設定するセルフ撮影設定部、撮像開始の入力操作を受け付ける撮像指示部、セルフ撮影設定部によりセルフ撮影モードが設定された状態において、撮像指示部が撮像開始の入力操作を受け付けたことに応じ、所定の期間の経過を計時するセルフタイマ回路、セルフタイマ回路による所定の期間の経過の計時の完了に応じて撮像素子の露光を制御するシャッタ制御部、を備え、バックライト制御部は、少なくともセルフタイマ回路による所定の期間の経過の計時開始から完了までの間、バックライトの発光輝度を低減させるよう制御する。
【０００５】
セルフ撮影モードが設定されて計時動作が開始した場合、通常ユーザは液晶パネルの表示面を見ないと考えられる。この場合にバックライトの発光輝度を低減させることで無駄な電力消費を抑えることができる。
【０００６】
この撮像装置は、撮像素子から出力された撮像信号を画像データに変換して出力するＡ／Ｄ変換部、Ａ／Ｄ変換部の出力した画像データに基づいて受光量を検出する受光量検出部、被写体に向けて発光する発光部、受光量検出部の検出した受光量に応じて発光部の発光輝度を増加又は低減させるよう制御する発光制御部、をさらに備えることが好ましい。
【０００７】
発光部とは、セルフタイマランプ、オートフォーカス（ＡＦ）補助光ランプ、ＬＥＤ等を含む。発光制御部はセルフタイマ回路による所定の期間の経過の計時に連動して発光部（具体的にはセルフタイマランプ）を発光させることで、撮像開始までの残り時間をユーザに知らせる。
【０００８】
かつ、発光制御部はセルフタイマ回路による所定の期間の経過の計時の際に受光量検出部の検出した受光量が所定の閾値を超えたことに応じて発光部の発光輝度を増加させることが好ましい。
【０００９】
即ち、受光量がある一定の閾値を超えている場合、周囲が明るいと考えられる。この場合、発光部の発光輝度を増加させることで、発光部の発光が容易に認識できる。閾値は複数段階的に存在してもよく、この場合、閾値の大小に応じて発光部の発光輝度を段階的に増加又は減少させるよう制御してもよい。
【００１０】
また、バックライト制御部はセルフタイマ回路による所定の期間の経過の計時の際に受光量検出部の検出した受光量が所定の閾値を超えたことに応じてバックライトの発光輝度を低減させるよう制御することが好ましい。
【００１１】
即ち、発光部の発光輝度の増加に備えてバックライトの発光輝度を低減させる。こうして、発光部の発光の際のピーク消費電力を低減し、電源電池の持続期間を延ばすことができる。
【００１２】
この撮像装置は、Ａ／Ｄ変換部の出力した画像データを記録する画像記録部をさらに備え、バックライト制御部は画像記録部が画像データの記録を終了したことに応じてバックライトの発光輝度を増加させるよう制御するようにしてもよい。
【００１３】
画像記録の終了後はユーザが液晶パネルを見る可能性が高く、この場合はバックライトの発光輝度を増加させることでユーザが液晶パネルを見るのに必要な照明を与えることができる。
【００１４】
発光制御部はセルフタイマ回路による所定の期間の経過の計時の際に受光量検出部の検出した受光量が所定の閾値を下回ったことに応じて発光部の発光輝度を低減させるよう制御してもよい。
【００１５】
周囲の環境が一定程度暗ければ、発光部の発光輝度が高くなくても発光は視認できるから、この場合は発光輝度を低減させて無駄な電力消費を抑えることができる。
【００１６】
この撮像装置は、夜間撮影モードを設定する夜間撮影設定部をさらに備え、シャッタ制御部は夜間撮影設定部による夜間撮影モードの設定に応じて撮像素子の露光時間を制御し、発光制御部は夜間撮影設定部が夜間撮影モードを設定したことに応じて発光部の発光輝度を減少させるよう制御してもよい。
【００１７】
夜間撮影モードが設定された場合、周囲の環境は暗いと考えられる。周囲の環境が暗ければ、発光部の発光輝度が低くても、ユーザはその発光を認識できるから、発光輝度を低減させて無駄な電力消費を抑えることができる。なお、長時間露光が設定された場合も、周囲の環境は暗いと考えられるから、この場合に同様の制御を行ってもよい。
【００１８】
ただし、発光制御部はセルフタイマ回路による所定の期間の経過の計時の際に受光量検出部の検出した受光量が所定の閾値を下回ったことに応じて発光部の発光輝度を低減させる制御を停止するようにしてもよい。
【００１９】
ユーザがセルフ撮影モードを設定するのは、手振れ防止目的なのか、あるいは自分を撮影する目的なのか、撮像装置では判断がつかない。手振れ防止目的でセルフ撮影モードを設定していた場合は、表示部の発光輝度を下げると、自分を撮影する場合と異なりユーザが表示部を視認する必要があるにもかかわらず、これができなくなって不都合である。
【００２０】
通常、周囲が暗い場合は手振れが生じやすい状況であるため、ここでは、受光量が所定の閾値を下回っている場合、ユーザが手振れ防止目的でセルフ撮影モードを設定しているとみなし、発光部の発光輝度の低減制御を停止する。
【００２１】
こうすることで、ユーザが手振れ防止目的でセルフ撮影モードを設定している場合に、発光部の発光輝度が低減されてユーザが表示部を視認できなくなるという不都合を防げる。
【００２２】
本発明に係る発光輝度制御方法は、セルフタイマ回路による所定の期間の経過の計時開始から完了までの間、バックライトの発光輝度を低減させるよう制御するステップを含む。
【００２３】
本発明に係る発光輝度制御プログラムは、少なくともセルフタイマ回路による所定の期間の経過の計時開始から完了までの間、バックライトの発光輝度を低減させるよう制御するステップを撮像装置の演算装置に実行させる。
【発明の効果】
【００２４】
セルフ撮影モードが設定されて計時動作が開始した場合、通常ユーザは液晶パネルの表示面を見ないと考えられる。この場合にバックライトの発光輝度を低減させることで無駄な電力消費を抑えることができる。また、セルフタイマランプ発光時の消費電力ピークを抑えることができ、電池の持続期間を延ばすことができる。
【発明を実施するための最良の形態】
【００２５】
以下、添付した図面を参照し本発明の好ましい実施の形態を説明する。
【００２６】
図１は、本発明の好ましい実施形態に係るデジタルカメラ（以下カメラと略す）１００の正面図である。
【００２７】
カメラ１００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００２８】
レンズ鏡胴６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００２９】
またカメラ１００には、非撮影時には撮影レンズ１０１の前面を覆って撮像レンズ１０１と外界とを遮ることで撮像レンズ１０１を保護する状態をつくり出すとともに、撮像時には撮像レンズを外界に露出するレンズカバー６１が設けられている。
【００３０】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。この図ではレンズカバー６１は開放状態となっている。
【００３１】
カメラ１００の上面には、中央部分にレリーズスイッチ１０４の配備されたモードダイヤル１２３と電源スイッチ１２１とが配備されており、正面には、ストロボ１０５ａ、ＡＦ補助光ランプ１０５ｂ、セルフタイマランプ１０５ｃ等が配備されている。
【００３２】
図２はカメラ１００の背面図である。カメラ１００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００３３】
カメラ１００の背面には、画像表示ＬＣＤ１０２、切替レバー１２２、十字キー１２４、情報位置指定キー１２６等も設けられている。十字キー１２４は、上下左右がそれぞれ表示明るさ調整／セルフタイマ／マクロ撮影／ストロボ撮影を設定する操作系である。後述するが、十字キー１２４の下キーを押下することで、セルフタイマ回路８３の計時完了後にメインＣＰＵ２０がＣＣＤ１３２にシャッタ動作を行わせるセルフ撮影モードの設定を行える。
【００３４】
図３は、モードダイヤル１２３を上面から見た図である。モードダイヤル１２３は、回動可能なダイヤル式のスイッチで構成されている。モードダイヤル１２３には、撮影シーンを直感的に認識可能なマークであるアイコンが印刷されている。モードダイヤル１２３は、図中矢印方向に回転可能であり、撮影者は、撮影しようとする撮影シーンに近いアイコンが位置合わせマーク９７の位置にくるようにモードダイヤル１２３を回転させることにより、撮影モードを選択することができる。
【００３５】
撮影モードの種類には、例えば、静止画を撮影する静止画の撮影モードと、動画を撮影する動画の撮影モードとがあり、更に静止画の撮影モードには、シャッタスピード、絞り値等の撮影条件を自動で設定するオートモード、それらの撮影条件の設定をマニュアルで行うマニュアルモード、人物撮影、風景撮影、スポーツ撮影、夜景撮影のように各撮影シーンに応じて適切な撮影条件に自動設定する各撮影モード（人物モード、風景モード、スポーツモード、夜景モード）などがある。
【００３６】
モードダイヤル１２３のアイコンはこれらの撮影モードに対応しており、特に、アイコン１２３−３は夜景モードに対応している。夜景モードでは、周囲が夜景等の暗い場所でストロボ１０５ａを発光しない状態で撮影を行なう場合に使用される。夜景モードでは、ＣＣＤ１３２のシャッタ速度が例えば１／６０秒よりも長い露光状態となる（ロングシャッタモード）。
【００３７】
図４はカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、撮影と再生とを自在に切り替える切替レバー１２２、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００３８】
また、カメラ１００には、撮影画像や再生画像等を表示するための画像表示ＬＣＤ１０２と、操作の手助けを行なうための操作ＬＣＤ表示１０３が備えられている。
【００３９】
このカメラ１００にはレリーズスイッチ１０４が配備されている。このレリーズスイッチ１０４によって撮影の開始指示がメインＣＰＵ２０へと伝えられる。このカメラ１００では撮影・再生切替レバー１２２によって撮影と再生との切り替えが自在になっていて、撮影を行なうときにはユーザによって撮影・再生切替レバー１２２が撮影側に切り替えられ、再生を行なうときには撮影・再生切替レバー１２２が再生側に切り替えられる。また、カメラ１００には、閃光を発光する閃光発光管１０５ａを有する閃光発光装置が配備されている。
【００４０】
また、カメラ１００には、撮影レンズ１０１と、絞り１３１と、それら撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、詳細には、そのＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００４１】
図５に示すように、ＣＣＤ１３２の受光面にはＲ，Ｇ，Ｂの微小なカラーフィルタがマトリクス状に配列されており、Ｒ，Ｇ，Ｂの各色成分を含む撮像信号は、白バランス・γ処理部１３３で適当なレベルに増幅された後、Ａ／Ｄ部１３４によってＲ，Ｇ，Ｂの各画像データとされる。なお、ＣＣＤ１３２の画素配置はベイヤ型を例に図示したが、ハニカム型等各種の配列方式を採用でき、図示されたものに限定されない。
【００４２】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００４３】
また、カメラ１００には、ＣＣＤセンサ１３２からのアナログ画像信号が表わす被写体像のホワイトバランスを合わせるとともにその被写体像の階調特性における直線の傾き（γ）を調整し、さらにアナログ画像信号を増幅する増幅率可変の増幅器を含む白バランス・γ処理部１３３が備えられている。
【００４４】
さらに、カメラ１００には、白バランス・γ処理部１３３からのアナログ信号をディジタルのＲ，Ｇ，Ｂ画像データにＡ／Ｄ変換するＡ／Ｄ部１３４と、そのＡ／Ｄ部１３４からのＲ，Ｇ，Ｂ画像データを格納するバッファメモリ１３５が備えられている。
【００４５】
本実施形態では、Ａ／Ｄ部１３４は、８ビットの量子化分解能を有し、白バランス・γ処理部１３３から出力されるアナログＲ，Ｇ，Ｂ撮像信号をレベル０〜２５５のＲ，Ｇ，Ｂデジタル画像データに変換して出力する。ただし、この量子化分解能はあくまで一例であって本発明に必須の値ではない。
【００４６】
Ａ／Ｄ部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリア毎にかつ同じ色成分毎に積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００４７】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００４８】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００４９】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ部１３４を制御する制御信号、および通信制御部１３９を制御する制御信号を出力する。また、このＣＧ部１３６には、測光・測距用ＣＰＵ１３７からの制御信号が入力される。
【００５０】
測光・測距用ＣＰＵ１３７は、ズーム用モータ１１０、フォーカス用モータ１１１、絞り調整を行う絞り用モータ１１２を制御してズームレンズ１０１ａ、フォーカスレンズ１０１ｂ、絞り１３１をそれぞれ駆動することにより測距を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００５１】
測光・測距用ＣＰＵ１３７は、レリーズスイッチ１０４が半押し（Ｓ１オン）されると、ＣＣＤ１３２によって周期的（１／30秒から１／60秒ごと）に得られる画像データに基づいて被写体の明るさの測光（ＥＶ値の算出）を行う。
【００５２】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００５３】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００５４】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００５５】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００５６】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１０を駆動制御してフォーカスレンズ１０１ａを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００５７】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００５８】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１１が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００５９】
充電・発光制御部１３８は，閃光発光管１０５ａを発光させるために電源電池６８からの電力の供給を受けて図示しない閃光発光用のコンデンサを充電したり、その閃光発光管１０５ａの発光を制御する。
【００６０】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ１０５ｃやＡＦ補助光１０５ｂへの電流供給制御を行い、所望の発光量が所望のタイミングで得られるように制御する。
【００６１】
具体的には、メインＣＰＵ２０あるいは測光・測距ＣＰＵ１３７から充電・発光制御部１３８へハイ（Ｈ）レベルの信号が入力されると、セルフタイマランプ１０５ｃは通電状態となり点灯する。一方、充電・発光制御部１３８へロー（Ｌ）レベルの信号が入力されると、セルフタイマランプ１０５ｃは非通電状態となり消灯する。
【００６２】
メインＣＰＵ２０あるいは測光・測距ＣＰＵ１３は、Ｈ・Ｌレベル信号の出力時間の比率（デューティ比）を変化させて設定することでセルフタイマランプ１０５ｃの輝度（明るさ）を変化させる。デューティ比ｒは、Ｈレベルの出力時間をＡ、Ｌレベルの出力時間をＢとすると、ｒ＝Ａ／（Ａ＋Ｂ）で定義される。
【００６３】
デューティ比ｒ＝１００％のときがセルフタイマランプ１０５ｃの最大輝度である（フル点灯）。デューティ比が１００％より小さい場合、ランプ１０５ｃは減光され、最大輝度より輝度が低くなる。ここでは、メインＣＰＵ２０等は、デューティ比ｒ＝５０％を設定することでフル点灯よりも輝度の低い点灯をさせるものとする（低輝度点灯）。ただし、ｒ＝５０％はあくまで一例であり、低輝度点灯とはフル点灯に満たない輝度の点灯を全て包含する概念であり、１００％より小さい複数段階のデューティ比（０％も含む）を設定することで複数段階の低輝度点灯を行わせることも可能である。
【００６４】
なお、セルフタイマランプ１０５ｃはＬＥＤで構成してもよく、ＡＦ補助光ランプ１０５ｂを構成するＬＥＤと共通にしてもよい。
【００６５】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００６６】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行なう通常のカメラが有するＩＳＯ感度１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００６７】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００６８】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００６９】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００７０】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００７１】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００７２】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００７３】
ＲＴＣ（Real Time Clock）１５は計時専用のチップであり、電源電池６８やＡＣアダプタ４８からの給電がオフされていてもバックアップ電池から電源供給を受けて継続的に動作する。
【００７４】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００７５】
図６は、バックライト７０及びバックライトドライバ７２の一実施の形態の構成を示した回路図である。同図に示すようにバックライト７０の光源である例えば２つのＬＥＤ７０Ａ、７０Ｂが、電源電池６８の出力電圧を昇圧するＤＣ・ＤＣコンバータ８０の出力端子に直列に接続され、抵抗Ｒ０を介して接地電位に接続される。また、抵抗Ｒ０と接地電位との間には、抵抗Ｒ１が接続されると共に、抵抗Ｒ１に直列にトランジスタＴｒのコレクタ−エミッタ間が接続される。トランジスタＴｒのベースには抵抗ｒ１を介してメインＣＰＵ２０の信号出力端子が接続される。
【００７６】
従って、メインＣＰＵ２０の信号出力端子から出力する信号電圧をＨＩＧＨレベルとＬＯＷレベルとで切り替えることによってトランジスタＴｒのオン／オフが切り替わる。そして、それによってＬＥＤ７０Ａ、７０Ｂに流れる電流の大きさが変化するため、バックライト７０の輝度を消灯のレベルを除いて２つのレベルで変更することができるようになっている。以下、バックライト７０の２つの輝度レベルを、輝度レベルの大きいものから順に第１の輝度レベルないし第２の輝度レベルとして表す。
【００７７】
メインＣＰＵ２０は、バックライト７０を第１の輝度レベルで発光させる場合、信号出力端子１からＨＩＧＨレベルの信号を出力する。これにより、トランジスタＴｒがオンとなり、抵抗Ｒ０及びＲ１の全てに電流が流れるため、バックライト７０のＬＥＤ７０Ａ、７０Ｂに最大の電流が流れ、バックライト７０が使用上において最大輝度で発光する。この状態は、画像表示ＬＣＤ１０２の使用上において最適な明るさと考えられるレベルである。
【００７８】
バックライト７０を第２の輝度レベルで発光させる場合には、信号出力端子からＬＯＷレベルの信号を出力する。これにより、トランジスタＴｒがオフとなり抵抗Ｒ１に電流が流れないため、バックライト７０は発光状態の最小輝度で発光する。
【００７９】
尚、バックライト７０を消灯させる場合にはＤＣ・ＤＣコンバータ８０の動作を停止させてＬＥＤ７０Ａ、７０Ｂに供給する電流を停止させる。
【００８０】
メインＣＰＵ２０は、撮影モードであって省電力モードがオフの場合、又は、再生モードの場合、バックライト７０の輝度を第１の輝度レベルに設定する。
【００８１】
即ち、バックライト７０の輝度を最大に設定し画像表示ＬＣＤ１０２を最適と考えられる明るさにすると共に、その状態を電源がオンの限り維持する。
【００８２】
一方、撮影モードであって省電力モードがオンの場合には、電源がオンされた直後、又は、操作部１２０に対する何らかの入力操作が行われてから一定時間（例えば１０秒）が経過すると、バックライト７０の輝度を第２の輝度レベルに切り替える。
【００８３】
ここで、第２の輝度レベルは、第１の輝度レベルのときよりも、画像表示ＬＣＤ１０２が暗くなったことを視覚的に容易に認識できるレベルである。例えば、第１の輝度レベルのときの最大輝度が２００カンデラ程度であるとすると、第２の輝度レベルのときの最大輝度は１００カンデラ程度となる。第２の輝度レベルのときのバックライト７０での消費電力は第１の輝度レベルのときよりも相当程度低減されるから、省電力効果は極めて大きく、例えば、電源をオンした状態で放置された場合の無駄な消費電力を低減する効果がある。
【００８４】
なお、第２の輝度レベルの状態で操作部１２０への操作が所定時間行われない場合、画像表示ＬＣＤ１０２のバックライト７０やＣＣＤ１３２などの電源をオフし、ボタン操作があると再起動できるスリープモードの状態に移行してもよい。
【００８５】
次に、図７及び図９のフローチャートに従い、各撮影モード設定時におけるバックライト７０の制御に関する処理手順を説明する。
【００８６】
［セルフ撮影モード］
まず、図７のフローチャートに従い、セルフ撮影モード設定時におけるバックライト７０の制御に関する処理手順を説明する。この処理は、少なくともセルフタイマ回路８３の動作中、バックライト７０の輝度を低減させるために行う。この処理の開始時点では、バックライト７０の輝度は第１の輝度レベルであるとする。
【００８７】
まず、Ｓ１では、十字キー１２４の下キーを押下することによってセルフ撮影モードが選択されたことに応じ、メインＣＰＵ２０は、セルフタイマランプ１０５ｃを通電状態とする。このとき、メインＣＰＵ２０は、セルフタイマランプ１０５ｃに流れる電流の量を図示しない抵抗の抵抗値に応じて制限することで、セルフタイマランプ１０５ｃを暗く点灯させるようにする。
【００８８】
Ｓ２では、メインＣＰＵ２０は、レリーズスイッチ１０４が半押し（Ｓ１オン）されたか否かを判断する。レリーズスイッチ１０４が押下されたと判断した場合はＳ３に移行し、押下されていないと判断した場合はこの判断を繰り返す。
【００８９】
Ｓ３では、ＡＥ動作及びＡＦ動作を行う。
【００９０】
Ｓ４では、メインＣＰＵ２０は、レリーズスイッチ１０４が全押し（Ｓ２オン）されたか否かを判断する。レリーズスイッチ１０４が押下されたと判断した場合はＳ５に移行し、押下されていないと判断した場合はこの判断を繰り返す。
【００９１】
Ｓ５では、メインＣＰＵ２０は、ＣＣＤ１３２の受光量が所定の閾値を超えているか否かを判定する。受光量が所定の閾値を超えていると判断した場合はＳ６に移行し、受光量が所定の閾値を超えていないと判断した場合はＳ８に移行する。
【００９２】
この判断の具体的内容を例示すると次のようになる。メインＣＰＵ２０は、ＣＣＤ１３２の受光した可視光についてＡＦ検出部１５０の算出した全画面又は所定の領域内の受光量Ｉｒ，Ｉｇ，ＩｂをＡＦ検出部１５０から入力し、受光量Ｉｒ，Ｉｇ，Ｉｂが所定の閾値Ｘを上回っているかもしくは下回っているかを各受光量について判断する。ある色の受光量Ｉｒ，Ｉｇ，Ｉｂについて閾値Ｘを上回っていれば受光量が所定の閾値を超えていると判断する。逆に、いずれの受光量Ｉｒ，Ｉｇ，Ｉｂも閾値Ｘを下回っていれば、受光量が所定の閾値を超えていないと判断する。
【００９３】
図８は、ＣＣＤ１３２の受光したＲ，Ｇ，Ｂ可視光の受光量Ｉｒ，Ｉｇ，Ｉｂの一例を示す。この場合、受光量Ｉｒ，Ｉｂが閾値Ｘを上回っているから、メインＣＰＵ２０は、受光量が所定の閾値を超えていると判断する。
【００９４】
なお、所定の閾値Ｘは、Ａ／Ｄ変換部１３４のビット分解能がレベル０〜２５５であり、ＬＥＤ１７Ｒ，ＬＥＤ１７Ｂ，ＬＥＤ１７Ｇのフル発光によって得られる画像データの受光量の最大レベルが１５０であれば、Ｘ＝７５とすることが一例として考えられる。
【００９５】
Ｓ６では、メインＣＰＵ２０は、バックライト７０の輝度を第１の輝度レベルよりも低減させるようバックライトドライバ７２を制御する。具体的には、メインＣＰＵ２０は、ＤＣ・ＤＣコンバータ８０の動作を停止させてバックライト７０を消灯する。あるいは、メインＣＰＵ２０は、信号出力端子からバックライトドライバ７２にＬＯＷレベルの信号を出力し、バックライト７０を第２の輝度レベルで発光させる。
【００９６】
なお、Ｓ５において受光量が所定の閾値を超えていないと判断した場合、即ち周囲環境が一定程度暗い場合、バックライト７０の輝度は変化せず、当初の状態が維持される。
【００９７】
Ｓ７では、メインＣＰＵ２０は、充電発光制御部１３８に対し、デューティ比＝１００％を設定する。
【００９８】
Ｓ８では、充電・発光制御部１３８は、セルフタイマ回路８３の計時が完了するまで、セルフタイマランプ１０５ｃを点灯させる。ここで、デューティ比は１００％に設定されているから、セルフタイマランプ１０５ｃは最大輝度で点灯する（フル点灯）。
【００９９】
Ｓ９では、セルフタイマ回路８３の計時終了に応じ、記録用の撮影動作を開始する。即ち、セルフタイマ回路８３の計時終了に応動してＣＣＤ１３２から取得された画像データはＹＣ処理回路１４０において輝度／色差信号（Ｙ／Ｃ信号）に変換され、ガンマ補正等の所定の処理が施された後、バッファメモリ１３５に格納される。
【０１００】
Ｓ１０では、画像の記録を行う。即ち、バッファメモリ１３５に格納されたＹ／Ｃ信号を、圧縮伸長処理／ＩＤ抽出回路１４４によって所定のフォーマットに従って圧縮した後、Ｉ／Ｆ１４４を介してメモリカード２００に所定の形式（例えばExif（Exchangeable Image File Format）ファイル）で記録する。
【０１０１】
Ｓ１１では、メインＣＰＵ２０は、画像記録が終了したか否かを判断する。画像記録が終了したと判断した場合はＳ１２に移行し、終了していないと判断した場合は引き続きこの判断を繰り返す。
【０１０２】
Ｓ１２では、メインＣＰＵ２０は、Ｓ６でバックライト７０の輝度が低減されたか否かを判断する。バックライト７０の輝度レベルが低減されたと判断した場合はＳ１４に移行し、バックライト７０の輝度レベルが低減されていないと判断した場合はこの処理を終える。
【０１０３】
Ｓ１３では、メインＣＰＵ２０は、バックライト７０の輝度を現在よりも増加させる。例えば、現在の輝度が第２の輝度レベルであれば、メインＣＰＵ２０は、信号出力端子からバックライトドライバ７２にＨＩＧＨレベルの信号を出力し、バックライト７０を輝度レベル１で発光させる。あるいは、現在バックライト７０が消灯されていれば、メインＣＰＵ２０は、信号出力端子からＨＩＧＨレベルの信号を出力して第１の輝度レベルで発光させる。あるいは、現在バックライト７０が消灯されていれば、メインＣＰＵ２０は、信号出力端子からＬＯＷレベルの信号を出力して第２の輝度レベルで発光させる。こうすればセルフ撮影時に一旦減少した輝度を明るくして液晶パネル７１の表示を見やすくできる。
【０１０４】
以上説明したように、モードダイヤル１２３によりセルフ撮影モードが設定された場合において、バックライト７０の輝度を低減させる（Ｓ６）。セルフタイマ動作時、通常ユーザは液晶パネルの表示面を見ないと考えられるから、このときに輝度を低減させることで可及的に無駄な電力消費を抑えることができる。
【０１０５】
また、ＣＣＤ１３２の受光量が所定の閾値を超えている場合、デューティ比を増加させることでセルフタイマランプ１０５ｃの輝度を増加させる（Ｓ７）。ＣＣＤ１３２の受光量が所定の閾値を超えている場合、明るい使用環境で被写体をセルフ撮影しようとしていると考えられる。このような状態で、セルフタイマランプ１０５ｃの輝度を増加させることで、被写体側からセルフタイマランプ１０５ｃの点灯を良好に視認することができる。
【０１０６】
なお、Ｓ６でのバックライト７０の輝度の低減は、ＣＣＤ１３２の受光量が所定の閾値を超えているか否かとは無関係に、モードダイヤル１２３によりセルフ撮影モードが設定されたことに応じて一律に行ってもよい。これは、セルフタイマ回路８３の計時の間、ユーザが液晶パネル７１の表示面を殆ど見ないという使用状態でバックライト７０による無駄な電力消費を抑え、セルフタイマランプ１０５ｃの点灯時におけるピーク消費電力を低減し、電源電池６８の持続期間を延ばすことができる。
【０１０７】
［夜景モード］
図９は夜景モード設定時におけるバックライト７０の制御に関する処理手順を説明するフローチャートである。なお、以下の処理は、ロングシャッタモードが設定された場合に応じて行ってもよい。
【０１０８】
まず、Ｓ２２〜Ｓ２４の各ステップは、Ｓ２〜Ｓ４のステップ（図７）と同内容であるため説明は省略する。
【０１０９】
Ｓ２５では、メインＣＰＵ２０は、受光量が所定の閾値を超えているか否かを判定する。受光量が所定の閾値を超えていると判断した場合はＳ２７に移行し、受光量が所定の閾値を超えていないと判断した場合はＳ２６に移行する。この所定の閾値は、Ｓ５で用いる閾値と同じであってもよいし異なっていてもよい。
【０１１０】
Ｓ２６では、メインＣＰＵ２０は、バックライト７０の輝度を現在よりも低減（ただし、ここでは消灯は除く）させる。例えばＳ６（図７）と同様、バックライト７０の輝度を第２の輝度レベルに低減させることで行うことができる。
【０１１１】
なお、Ｓ２５において受光量が所定の閾値を超えていると判断した場合、即ち周囲環境が一定程度明るい場合、バックライト７０の輝度は変化せず、当初の状態が維持される。あるいは、受光量が所定の閾値を超えていると判断した場合、輝度を増加させてもよい。
【０１１２】
Ｓ２７〜Ｓ２９の動作は、Ｓ９〜Ｓ１１と同様であるため説明は省略する。ただし、Ｓ２９において、記録終了と判断されればＳ３０に移行する。
【０１１３】
Ｓ３０では、メインＣＰＵ２０は、Ｓ２６でバックライト７０の輝度が低減されたか否かを判断する。バックライト７０の輝度レベルが低減されたと判断した場合はＳ３１に移行し、バックライト７０の輝度レベルが低減されていないと判断した場合はこの処理を終える。
【０１１４】
Ｓ３１では、メインＣＰＵ２０は、バックライト７０の輝度を現在よりも増加させる。これは、例えばＳ１３（図７）と同様にして行うことができる。
【０１１５】
以上説明したように、この処理では、モードダイヤル１２３により夜景モードが設定された場合（あるいはロングシャッタモードが設定された場合）において、ＣＣＤ１３２の受光量が所定の閾値を超えていなければ、バックライト７０の輝度を現在よりも低減させる（Ｓ２６）。暗い使用環境では、バックライト７０の輝度が高くなくても液晶パネル７１の表示面を視認できるため、輝度を低減させることで可及的に無駄な電力消費を抑えることができる。
【０１１６】
なお、セルフ撮影モードと夜景モードとは排他的な関係でないため、夜景モードとセルフ撮影モードの両方を同時に設定することも可能である。この場合、図７と図９の処理を並行して行えばよい。
【０１１７】
この場合、図１０に示すように、Ｓ２５において、受光量が所定の閾値を超えていないと判断した場合、ＡＦ補助光ランプ１０５ｂやセルフタイマランプ１０５ｃの輝度を低減し（Ｓ４０）、かつバックライト７０の輝度を低減させるとよい（Ｓ２６）。暗い使用環境においては、セルフタイマランプ１０５ｃ及びバックライト７０の輝度が高くなくても、セルフタイマランプ１０５ｃの点灯及び液晶パネル７１の表示を良好に視認できるから、セルフタイマランプ１０５ｃ等の輝度を低減させることで可及的に無駄な電力消費を抑えることができる。
【図面の簡単な説明】
【０１１８】
【図１】デジタルカメラの正面図
【図２】デジタルカメラの背面図
【図３】モードダイヤルの上面図
【図４】デジタルカメラのブロック構成図
【図５】ＣＣＤ受光面のＲ，Ｇ，Ｂの微小なカラーフィルタの配置図
【図６】バックライトドライバの回路図
【図７】セルフ撮影モード設定時におけるバックライトの発光輝度制御の流れを示すフローチャート
【図８】受光量の概念説明図
【図９】夜景モード設定時におけるバックライトの発光輝度制御の流れを示すフローチャート
【図１０】夜景モード及びセルフ撮影モード設定時におけるセルフタイマランプの発光輝度制御の流れを部分的に示すフローチャート
【符号の説明】
【０１１９】
２０：メインＣＰＵ、６０：レンズ鏡胴、６１：レンズカバー、６２：モータドライバ、７０：バックライト、７１：液晶パネル、７２：バックライトドライバ、８２：セルフタイマ回路、１０１：撮影レンズ、１０１ａ：ズームレンズ、１０１ｂ：フォーカスレンズ、１０５ｂ：ＡＦ補助光ランプ、１０５ｃ：セルフタイマランプ、１１０：ズーム用モータ、１１１：フォーカス用モータ、１１２：絞り用モータ、１２３：モードダイヤル、１２４：十字キー、１３１：絞り、１３２：ＣＣＤ、１３４：Ａ／Ｄ変換部、１５０：ＡＦ検出部、１５１：ＡＥ演算部
【図１】
2007104108.tif 000003
【図２】
2007104108.tif 000004
【図３】
2007104108.tif 000005
【図４】
2007104108.tif 000006
【図５】
2007104108.tif 000007
【図６】
2007104108.tif 000008
【図７】
2007104108.tif 000009
【図８】
2007104108.tif 000010
【図９】
2007104108.tif 000011
【図１０】
2007104108.tif 000012